(57)【要約】【課題】軒樋を下方から見たときの見栄えを良くすることができる軒樋吊具を提供する。【解決手段】鼻板３の屋外側の面に固定される固定部１２と、固定部１２から延設され軒樋２を支持する支持部１１を備え、固定部１２から下方向に所定の長さの延設部１３が設けられ、延設部１３の先端部の屋内側側面から屋内側方向に鼻板３下端の下面又は軒天井３１の下面と当接する当接部１５が設けられ、当接部１５の当接面から上方の延設部１３には、切断をし易くするための切り欠き１４が設けられる。【選択図】図１
2013163940.tif 000002
【特許請求の範囲】
【請求項１】
鼻板の屋外側の面に固定される固定部と、前記固定部から延設され軒樋を支持する支持部を備え、前記固定部から下方向に所定の長さの延設部が設けられ、前記延設部の先端部の屋内側側面から屋内側方向に鼻板下端の下面又は軒天井の下面と当接する当接部が設けられ、前記当接部の当接面から上方の前記延設部には、切断をし易くするための切り欠きが設けられていることを特徴とする軒樋吊具。
【請求項２】
合成樹脂から一体成形された請求項１記載の軒樋吊具。
【発明の詳細な説明】
【技術分野】
【０００１】
本発明は、鼻板に固定する固定部から、屋外側に軒樋を支持する支持部を延設する軒樋吊具に関するものである。
【背景技術】
【０００２】
従来から、軒樋を固定する樋支持具と、樋支持具を鼻板に取り付ける位置を合わせる取付レール部とを備えたものが知られている（例えば特許文献１参照）。
【先行技術文献】
【特許文献】
【０００３】
【特許文献１】特開２００２−１８８２５８号公報
【発明の概要】
【発明が解決しようとする課題】
【０００４】
ところで、特許文献１に記載されている樋支持具は、鼻板に別部材である取付レール部を装着し、取付レール部に備えられている係合片部を軒天井に当接させることにより、軒樋を鼻板下端又は軒天井下端から所定の高さに固定させている。しかしながら、軒樋を固定した後も係合片部が残っていると、軒樋を下方から見たとき、係合片部が目に入り見栄えが悪くなってしまっていた。
【０００５】
本発明は上記従来の問題点に鑑みて発明したものであって、その目的とするところは、軒樋を下方から見たときの見栄えを良くすることができる構造を持つ軒樋吊具を提供することを課題とするものである。
【課題を解決するための手段】
【０００６】
上記課題を解決するために、本発明は、以下のような構成とする。
【０００７】
本発明の軒樋吊具は、鼻板の屋外側の面に固定される固定部と、前記固定部から延設され軒樋を支持する支持部を備え、前記固定部から下方向に所定の長さの延設部が設けられ、前記延設部の先端部の屋内側側面から屋内側方向に鼻板下端の下面又は軒天井の下面と当接する当接部が設けられ、前記当接部の当接面から上方の前記延設部には、切断をし易くするための切り欠きが設けられていることを特徴とする。
【０００８】
本発明の軒樋吊具は、合成樹脂から一体成形されることが好ましい。
【発明の効果】
【０００９】
本発明の軒樋吊具は、軒樋を下方から見たときの見栄えを良くすることができる。
【図面の簡単な説明】
【００１０】
【図１】本発明の一実施形態を示し、（ａ）は切り欠きを切断する前の断面図であり、（ｂ）は切り欠きを切断したときの断面図である。
【図２】同上の実施形態における軒樋吊具の斜視図である。
【図３】同上の実施形態における軒樋吊具の延設部と当接部の要部拡大斜視図である。
【図４】同上の実施形態における、軒樋の下端と鼻板の下端又は軒天井の下端とが揃っていない場合の断面図である。
【図５】切り欠きを固定部と延設部の境界に設けた場合の実施形態の断面図である。
【図６】切り欠きを延設部の中間に設けた場合の実施形態の断面図である。
【発明を実施するための形態】
【００１１】
以下、本発明を添付図面に示す一実施形態に基いて説明する。
【００１２】
従来の軒樋吊具１では施工の際、鼻板３の下端又は軒天井３１の下端に対する軒樋２の下端の上下高さ（軒樋２の上下高さとする）を長手方向に亘って一定にするために、作業者が軒樋吊具１毎に上下高さを測ってその後に設置していた。そのため、軒樋吊具１を設置するのに時間がかかっていた。そこで、軒樋吊具１を軒樋２の上下高さを一定で、簡易に設置するための構造が設けられた。
【００１３】
図１（ａ）に示すように、本実施形態の軒樋２は、屋外側に前板２１、屋内側に後板２２を備える軒樋２であり、前板２１の上方の先端には前板耳部２３、後板２２の上方の先端には後板耳部２４が設けられているが、これに限定されない。すなわち、前板２１の下端から後板２２の下端まで底板を有する形態であってもよいし、前板耳部２３と後板耳部２４が無い形態であってもよい。
【００１４】
また、軒樋２を支持する軒樋吊具１は、軒樋２を支持する支持部１１、支持部１１を鼻板３に取付ける固定部１２を備えている。なお、本実施形態の軒樋吊具１は、合成樹脂で一体成形されており、部材の点数を少なくしている。
【００１５】
固定部１２は鼻板３の屋外側の面に固定されるものである。図２に示すように、固定部１２は本実施形態では略矩形状をしており、鼻板３に固定するためのネジを挿通させるための孔１２ａが、６ヶ所に設けられている。なお、孔１２ａの数はこれに限定されない。
【００１６】
支持部１１は、固定部１２から延設され軒樋２を支持するものである。図２に示すように本実施形態にて、支持部１１は、固定部１２から延設されている架橋部１１ａを有している。そして、架橋部１１ａの先端は前板耳部２３を係止する前板耳係止部１１ｂを有している。また、架橋部１１ａの基幹部には後板耳部２４を係止する後板耳係止部１１ｃが設けられている。なお、支持部１１は本実施形態に限定されない。
【００１７】
固定部１２から下方向に所定の長さの延設部１３が設けられる。本実施形態にて延設部１３は、固定部１２の下端の略中央に設けられ、下方へ垂下しているが、これに限定されない。そして本実施形態では、図１（ａ）に示すように、延設部１３の屋内側側面と鼻板３の屋外側側面との間に隙間１３ａが設けられている。固定部１２は鼻板３に当接しなければ支持部１１を固定できない。しかし、延設部１３は鼻板３に当接しない方が、延設部１３が当接することにより発生する傷や摩擦がなくなるため好ましい。そのため、隙間１３ａが設けられている。
【００１８】
延設部１３の下端部の屋内側側面から屋内側方向に向って、鼻板３下端の下面又は軒天井３１の下面と当接する当接部１５が設けられる。そして、鼻板３に取付けられる固定具１２は鼻板３下端又は軒天井３１の下端から所定の高さ（固定具１２の高さとする）に取付けられる。また、固定具１２の高さは、どちらも設計の段階で設計者が決めるものである。そのため、延設部１３が所定の長さになるように設けられる。そのため、当接部１５を鼻板３に当接させるだけで、鼻板３に取付けられ且つ軒樋２の長手方向に複数設けられる固定具１２の高さを、等しくすることができる。本実施形態では、当接部１５は、図３に示すような形状をしているが、これに限定されず、当接部１５の上面が一部でも軒天井３１の下面又は鼻板３の下面に当接すればよい。なお、当接部１５の屋内側先端の下端から上端へ向う辺の角度は、当接部１５が摘み易くなるため、鋭角である方が好ましい。
【００１９】
本実施形態では、当接部１５の当接面から上方の延設部１３に、切断をし易くするための切り欠き１４が設けられている。図１（ａ）に示すように、切り欠き１４が延設部１３の下部に設けられているが、これに限定されない。図５に示す他の実施形態においては、切り欠き１４が延設部１３の上端と固定部１２の下端の境界に設けられている。また、図６に示す更に他の実施形態においては、切り欠き１４が延設部１３の中間（本実施形態では略中央）に設けられている。
【００２０】
また、切り欠き１４は延設部１３の屋内側の側面に切り込みを入れて設けられているが、これに限定されず、延設部１３の一部を厚み方向に薄肉にしたり、延設部１３の屋外側側面に設けられていてもよい。
【００２１】
軒樋吊具１を設置後、切り欠き１４以下の部分を図１（ｂ）に示すように切断することにより、軒樋２を下方から眺めた時の見栄えを良くすることができる。
【符号の説明】
【００２２】
１    軒樋吊具
１１  支持部
１１ａ  架橋部
１１ｂ  前板耳係止部
１１ｃ  後板耳係止部
１２  固定部
１２ａ  孔
１３  延設部
１３ａ  隙間
１４  切り欠き
１５  当接部
２    軒樋
２１  前板
２２  後板
２３  前板耳部
２４  後板耳部
３    鼻板
３１  軒天井
【図１】
2013163940.tif 000003
【図２】
2013163940.tif 000004
【図３】
2013163940.tif 000005
【図４】
2013163940.tif 000006
【図５】
2013163940.tif 000007
【図６】
2013163940.tif 000008